(57)【特許請求の範囲】
【請求項１】
中性子捕捉療法に用いられるビーム整形体であって、
前記ビーム整形体は、ビーム入口、ターゲット、ターゲットに隣接する減速体、前記減速体の外を囲む反射体、及びビーム出口を含み、前記ターゲットは前記ビーム入口から入射される陽子ビームと核反応を起こして中性子を発生し、前記減速体は前記ターゲットから生じた中性子を減速し、前記反射体は逸脱した中性子を前記減速体に戻して熱外中性子のビーム強度を向上させ、前記減速体は取り替えられて減速体の中性子に対する減速能力を調整し、
前記減速体は、前記ターゲットの後方に位置するベース部、および前記ベース部と別体で設けられる拡張部を含み、前記拡張部は独立して取り替えられて減速体の中性子に対する減速能力を調整し、
前記反射体は、前記拡張部に対応して前記ベース部の後方まで延びるガイド溝と、前記拡張部の両外側に設けられかつ前記ガイド溝中に装着される補助反射体と、を含み、
前記補助反射体と、前記ベース部の外を囲む前記反射体とは、散乱する中性子を共同して反射する、
中性子捕捉療法に用いられるビーム整形体。
【請求項２】
前記ベース部はターゲットの後方に隣接しかつターゲットに固定され、前記拡張部はベース部の後方に装着されてベース部に隣接することを特徴とする、
請求項１に記載の中性子捕捉療法に用いられるビーム整形体。
【請求項３】
前記拡張部は第一拡張部と第二拡張部とを少なくとも含み、前記第一拡張部はベース部の後方に装着されてベース部に隣接し、第二拡張部は第一拡張部の後方に装着されて第一拡張部に隣接し、前記第一拡張部と第二拡張部とは独立して取り替え可能であることを特徴とする、
請求項１に記載の中性子捕捉療法に用いられるビーム整形体。
【請求項４】
前記ガイド溝にはスライドレールが設けられ、前記拡張部はガイド溝に装着された後、スライドレールによってベース部の後方まで移動しベース部に隣接し、
前記ガイド溝は第一拡張部に対応する第一ガイド溝と第二拡張部に対応する第二ガイド溝とを少なくとも含み、
前記第一拡張部と第二拡張部との構造寸法が同一で材料が異なるとき、第一拡張部と第二拡張部とは、それぞれ第一ガイド溝又は第二ガイド溝中に装着されることができ、
前記第一拡張部と第二拡張部との構造寸法が異なりかつ材料も異なるとき、前記第一拡張部は第一ガイド溝に装着され、前記第二拡張部は第二ガイド溝に装着される、
ことを特徴とする、
請求項３に記載の中性子捕捉療法に用いられるビーム整形体。
【請求項５】
拡張部がスライドレールによってベース部の後部に装着されるとき、補助反射体とベース部の外を囲む反射体は散乱する中性子を共同して反射することを特徴とする、
請求項４に記載の中性子捕捉療法に用いられるビーム整形体。
【請求項６】
前記ベース部、前記第一拡張部および前記第二拡張部の材料は、すべて、Ａｌ、Ｐｂ、Ｔｉ、Ｂｉ、Ｃ、Ｄ２Ｏ、ＡｌＦ３、フルエンタル、ＣａＦ２、Ｌｉ２ＣＯ３、ＭｇＦ２およびＡｌ２Ｏ３中の任意の一種又は多種で調製造されていることを特徴とする、
請求項３に記載の中性子捕捉療法に用いられるビーム整形体。
【請求項７】
前記反射体はＰｂ又はＮｉ中の少なくとも一種で製造され、前記補助反射体の材料は反射体の材料と同じであることを特徴とする、
請求項１から６のいずれか１項に記載の中性子捕捉療法に用いられるビーム整形体。
【発明の詳細な説明】
【技術分野】
【０００１】
本発明はビーム整形体に関し、特に中性子捕捉療法に用いられるビーム整形体に関する。
【背景技術】
【０００２】
原子科学の発展に従って、コバルト60、線形加速器、電子ビームなどの放射線療法は、すでにがん治療の主な手段の一つとなった。しかし、従来の光子または電子療法は、放射線そのものの物理的条件の制限で腫瘍細胞を殺すとともに、ビーム経路上の数多くの正常組織に損傷を与える。また、腫瘍細胞により放射線に対する感受性の度合いが異なっており、従来の放射線療法では、放射線耐性の高い悪性腫瘍（例、多形神経膠芽腫（glioblastoma multiforme）、黒色腫（melanoma））に対する治療効果が良くない。
【０００３】
腫瘍の周囲の正常組織への放射線損傷を軽減するすために、化学療法（chemotherapy）における標的療法が、放射線療法に用いられている。また、放射線耐性の高い腫瘍細胞に対し、現在では生物学的効果比（relative biological effectiveness、RBE）の高い放射線源が積極的に開発されている（例えば、陽子線治療、重粒子治療、中性子捕捉療法など）。このうち、中性子捕捉療法は、上記の2つの構想を結びつけたものである。例えば、ホウ素中性子捕捉療法では、ホウ素含有薬物が腫瘍細胞に特異的に集まり、高精度な中性子ビームの制御と合わせることで、従来の放射線と比べて、より良いがん治療オプションを提供する。
【０００４】
ホウ素中性子捕捉療法（Boron Neutron Capture Therapy、 BNCT）はホウ素（10B）含有薬物が熱中性子に対し大きい捕捉断面積を持つ特性を利用し、10B(n,α)7Li中性子捕捉と核分裂反応により4Heと7Liという2種の重荷電粒子を生成する。図1と図2は、それぞれホウ素中性子捕捉の反応概略図と10B(n,α)7Li中性子捕捉の原子核反応式を示す。2種の重荷電粒子は平均エネルギーが2.33MeVであり、高い線エネルギー付与(Linear Energy Transfer、LET)及び短い射程という特徴を持つ。α粒子の線エネルギー付与と射程はそれぞれ150keV/μm、8μmであり、7Li重荷粒子の場合、それぞれ175keV/μm、5μmである。2種の粒子の合計射程が細胞のサイズに近いので、生体への放射線損害を細胞レベルに抑えられる。ホウ素含有薬物を選択的に腫瘍細胞に集め、適切な中性子源と合わせることで、正常組織に大きな損害を与えないで腫瘍細胞を部分的に殺せる。
【０００５】
ホウ素中性子捕捉療法の効果は、腫瘍細胞のある箇所でのホウ素含有薬物の濃度と熱中性子数によって決まるので、2次元放射線癌治療（binary cancer therapy）とも呼ばれる。このことから見れば、ホウ素含有薬物の開発の他に、中性子源の放射フラックスと品質の向上も、ホウ素中性子捕捉療法の研究にとって非常に重要である。
【０００６】
しかし、従来技術のホウ素中性子捕捉療法のビーム整形体の設計はほとんど全体式固定構造で、このようなビーム整形体から出力される中性子ビームの品質は固定されることが多いが、しかし実際の治療過程では、中性子ビーム品質に対する要求は一律ではない。患者が異なれば、腫瘍の位置、深さ及び腫瘍の種類は異なる可能性があり、これは治療過程中の中性子ビームの品質に対して異なる要求をもたらす。しかし、従来技術の全体式固定構造のビーム整形体では、患者の腫瘍の具体的な状況に基づき中性子ビームの品質を調整して患者の実際の状況に応じて治療することができない。
【発明の概要】
【発明が解決しようとする課題】
【０００７】
したがって、上記問題を解決する新しい技術的解決手段を提供する必要がある。
【課題を解決するための手段】
【０００８】
上記解決するために、本発明の一態様は、中性子捕捉療法に用いられるビーム成形体を提供する。前記ビーム整形体はビーム入口、ターゲット、ターゲットに隣接する減速体、前記減速体の外を囲む反射体、及びビーム出口を含み、前記ターゲットは前記ビーム入口から入射する陽子ビームと核反応を起こして中性子を発生し、前記減速体は前記ターゲットから生じた中性子を減速し、前記反射体は逸脱した中性子を前記減速体に戻して熱外中性子のビーム強度を向上させ、前記減速体は取り替えられて減速体の中性子の減速能力を調整する。
【０００９】
さらに、前記減速体はターゲットの後方に位置するベース部およびベース部とは別体で設けられる拡張部を含み、前記拡張部は独立して取り替えられて減速体の中性子に対する減速能力を調整する。
【００１０】
さらに、前記ベース部はターゲットの後方に隣接しかつターゲットに固定され、前記拡張部はベース部の後方に装着されてベース部に隣接する。
さらに、前記拡張部は第一拡張部と第二拡張部とを少なくとも含み、前記第一拡張部はベース部の後方に装着されてベース部に隣接し、第二拡張部は第一拡張部の後方に装着されて第一拡張部に隣接し、前記第一拡張部と第二拡張部とは独立で取り替え可能である。
【００１１】
前記反射体に、拡張部に対応してベース部の後方まで延びるガイド溝が設けられ、前記ガイド溝にスライドレールが設けられる。前記拡張部はガイド溝に装着された後、スライドレールによってベース部の後方まで移動しベース部に隣接する。前記ガイド溝は、第一拡張部に対応する第一ガイド溝と第二拡張部に対応する第二ガイド溝とを少なくとも含む。前記第一拡張部と第二拡張部との構造寸法が同一で材料だけ異なるとき、第一拡張部と第二拡張部とは、それぞれ第一ガイド溝又は第二ガイド溝に装着することができる。第一拡張部と第二拡張部との構造寸法が異なりかつ材料も異なるとき、前記第一拡張部は第一ガイド溝に装着され、前記第二拡張部は第二ガイド溝に装着される。
【００１２】
さらに、反射体は拡張部の両外側に設けられかつガイド溝に装着される補助反射体を含み、拡張部がスライドレールによってベース部の後方に装着されるとき、補助反射体とベース部の外を囲む反射体は散乱する中性子を共同して反射する。
【００１３】
さらに、前記反射体には回転軸が設けられ、前記回転軸にはベース部の後方に位置しベース部に対して回転可能な回転盤が設けられている。前記拡張部は、回転盤内に装着された後、回転盤と共にベース部の後方に回転運動してベース部に隣接する。前記回転盤は、第一拡張部に対応する第一回転盤と第二拡張部に対応する第二回転盤とを少なくとも含む。第一拡張部と第二拡張部との構造寸法が同一で材料だけ異なるとき、第一拡張部と第二拡張部とは、それぞれ第一回転盤又は第二回転盤に装着することができる。第一拡張部と第二拡張部との構造寸法が異なりかつ材料も異なるとき、前記前記第一拡張部は第一回転盤に装着され、前記前記第二拡張部は第二回転盤に装着される。
【００１４】
さらに、反射体は拡張部の外周に設けられた補助反射体をさらに含み、拡張部が回転軸の周りで回転してベース部の後方に装着されるとき、補助反射体とベース部の外を囲む反射体は散乱する中性子を共同して反射する。
【００１５】
さらに、前記ベース部、第一拡張部および前記第二拡張部の材料は、すべて、Ａｌ、Ｐｂ、Ｔｉ、Ｂｉ、Ｃ、Ｄ２Ｏ、ＡｌＦ３、フルエンタル、ＣａＦ２、Ｌｉ２ＣＯ３、ＭｇＦ２およびＡｌ２Ｏ３中の任意の一種又は多種で製造することができる。
【００１６】
さらに、前記反射体はＰｂ又はＮｉ中の少なくとも一種で製造され、前記補助反射体の材料は、反射体の材料と同じである。
従来技術と比べて、本願は以下の有益な効果を有する。本願の中性子捕捉療法に用いられるビーム成形体は、ベース部と拡張部とから成る減速体を設計し、拡張部を取り替え可能な２つの部分として設定するものであり、実際の治療過程では、患者の具体的な病状（患者の腫瘍の深さ）に応じて、異なる材料の拡張部を選択して取り替えることで、減速体は中性子ビームを減速可能なので、治療中に患者に実際に必要とされる中性子ビームの品質が得られ、構造が簡単であり、適用が柔軟である。
【図面の簡単な説明】
【００１７】
【図１】ホウ素中性子捕捉の反応概略図である。
【図２】中性子捕捉療法に用いられるビーム整形体の構造図である。
【図３】本発明の第１実施形態のガイド溝を使用して拡張部を装着した構造図である。
【図４】本発明の第２実施形態の回転盤を使用して拡張部を装着した構造図である。
【発明を実施するための形態】
【００１８】
中性子捕捉療法は効果的ながん治療の手段として、近年ではその適用が増加しており、そのうち、ホウ素中性子捕捉療法が最も一般的なものとなった。ホウ素中性子捕捉療法に用いられる中性子は原子炉または加速器で供給できる。本発明の実施形態は加速器ホウ素中性子捕捉療法（Accelerated-based Boron Neutron Capture Therapy）を例とする。加速器ホウ素中性子捕捉療法の基本モジュールは、一般的に荷電粒子（陽子、デューテリウム原子核など）の加速に用いられる加速器、ターゲット、熱除去システム及びビーム整形アセンブリを含む。加速後の荷電粒子と金属ターゲットとの作用により中性子が生成され、必要な中性子収率及びエネルギー、提供可能な加速荷電粒子のエネルギー及び電流、及び、金属ターゲットの物理的・化学的特性などにより、適切な原子核反応が選定される。よく検討されている原子核反応は7Li(p,n)7Be及び9Be(p,n)9Bであり、この両方はすべて吸熱反応でエネルギー閾値がそれぞれ1.881MeVと2.055MeVである。ホウ素中性子捕捉療法の理想的中性子源はkeVエネルギーレベルの熱外中性子なので、理論的には、エネルギーが閾値よりやや高い陽子によるリチウムターゲットへの衝撃で、比較的低いエネルギーの中性子が生成され、あまり多くの減速処理を要しないで臨床適用が可能になる。しかし、リチウム（Li）及びベリリウム（Be）の2種のターゲットは、閾値エネルギーの陽子と作用する断面が大きくないので、十分な中性子束を確保するために、一般的には比較的高いエネルギーを持つ陽子で原子核反応を引き起こされる。
【００１９】
理想的なターゲットには、中性子収率が高く、生成した中性子のエネルギー分布が熱外中性子エネルギー領域（後ほど詳細に説明）に近く、強い透過性のある放射線をあまり多く生成せず、安全かつ簡単で操作しやすく、耐高温性を持つなどの特性が必要とされるが、実際にすべての要件を満たす原子核反応は見つからないので、本発明の実施形態ではリチウムターゲットを採用する。ただし、この分野の技術者がよく知っていることとして、ターゲットの材料に、上記の金属材料を除くその他の金属材料を採用できる。
【００２０】
熱除去システムの要件は、選定された原子核反応により異なる。例えば、7Li(p,n)7Beの場合、金属ターゲット（リチウム）の低い融点と低い熱伝導率により、熱除去システムの要件は9Be(p,n)9Bより厳しくなる。本発明の実施形態では、7Li(p,n)7Beの原子核反応を採用する。
【００２１】
さらに、中性子捕捉療法技術を使用する実際の治療過程中では、異なる患者の腫瘍の具体的状況（腫瘍の位置、深さ及び腫瘍の種類）は異なる可能性があり、陽子とターゲットとが核反応を起こした後に生成される中性子ビームの品質に対する具体的な要求（ビーム中性子エネルギー領域の具体的な範囲、中性子ビームフラックスまたは中性子ビームの前向性等）が異なる可能性がある。中性子捕捉療法技術を腫瘍患者の実際の治療過程にさらに柔軟に精確に応用し、より多くの種類の腫瘍治療に応用するために、本願は中性子捕捉療法に用いられるビーム整形体に対する改良を提案する。好ましくは、加速器ホウ素中性子捕捉療法に用いられるビーム整形体に対する改良である。
【００２２】
図２から図４は本願中の中性子捕捉療法に用いられるビーム整形体１０であり、該ビーム整形体１０はビーム入口１１、ターゲット１２、ターゲット１２に隣接する減速体１３、減速体１３の外を囲む反射体１４およびビーム出口１７を含む。加速器ホウ素中性子捕捉療法は、加速器によって陽子ビームを加速し、陽子ビームはターゲットの原子核力に打ち勝つエネルギーまで加速され、ターゲット１２と７Ｌｉ（ｐ、ｎ）７Ｂｅ核反応を起こして中性子を発生する（図１を参照する）。生じた中性子は、減速体１３によって減速され、散乱する中性子は反射体１４を通してビーム軸に反射されまたビーム出口１７から射出される。
【００２３】
減速体１３の材料を種々のものとすることができる。減速体１３の材料は、ビーム中性子エネルギー領域、中性子ビームフラックスまたは中性子ビームの前向性という指標に対して大きな影響がある。したがって、本願では減速体１３を取り替え式に設定し、これにより異なる腫瘍状況（位置、深さ、タイプを含む）に対して同じ医療装置を使用して中性子捕捉療法を行うことができない、という問題を解決する。
【００２４】
減速体１３は、ベース部１３１と拡張部１３２とを含み、ベース部１３１と拡張部１３２とは別体式構造である。いわゆる別体式構造は、ベース部１３１がターゲット１２の後方に位置し、拡張部１３２がベース部１３１の後方に装着されるということである。ベース部１３１は取り替え式に設定されてもよく、固定式に設定されてもよい。ベース部１３１が取り替え式であるとき、ベース部１３１と拡張部１３２とをそれぞれ取り替えることができる。ベース部１３１が固定式であるとき、拡張部１３２だけが取り替えられる。もちろん、ベース部１３１と拡張部１３２とを一体的に設けてもよく、異なる腫瘍状況に対して、減速体１３の全体を取り替えて減速体１３の減速能力を変化させてもよい。
【００２５】
本実施形態では、ベース部１３１と拡張部１３２とに別体式設計を採用し、かつベース部１３１は固定式である。減速体１３のベース部１３１はターゲット１２の後方に設置されかつターゲット１２に隣接して固定され、拡張部１３２はベース部１３１の後方に装着されかつベース部１３１に隣接する（他の実施形態では、拡張部１３２はベース部１３１に隣接せず、ベース部１３１と拡張部１３２との間に隙間を残してもよい）。本実施形態では、拡張部１３２は、第一拡張部１３３と第二拡張部１３４とを少なくとも含む。第一拡張部１３３はベース部１３１の後方に隣接し、第二拡張部１３４は第一拡張部１３３の後方に隣接する。このようにして、拡張部１３２は、２つの構造の積層式に形成され、第一拡張部１３３と第二拡張部１３４とをそれぞれ独立して取り替えることができる。指摘する必要があるのは、減速体１３を製造する材料は多種あるため、拡張部１３２を２つ以上（３つ、４つ、５つ又はもっと多い）の多くの構造の積層式に設定してもよい。これにより減速体の減速能力がさらに細かく変わるため、中性子ビームの品質に対するより的確なニーズを実現し、それによって異なる腫瘍に対する治療効果が向上される。
【００２６】
以下では、減速体１３の拡張部１３２の取り替えをどのように達成するのを具体的に説明する。
図３を再び参照すると、図３は本願の第１実施形態の構造図である。反射体１４にガイド溝１４１が設けられ、ガイド溝１４１にスライドレール１４２が設けられ、拡張部１３がガイド溝１４１に装着された後スライドレール１４２に伴ってベース部１３２の後方まで摺動運動しかつベース部１３２に隣接し固定される。ガイド溝１４１は、第一拡張部１３３に対応する第一ガイド溝１４３と、第二拡張部１３４に対応する第二ガイド溝１４４と、を含む。減速体１３の全体構造が円柱体で、第一拡張部１３３と第二拡張部１３４との構造寸法が同一であるとき、得られるべき中性子ビームの品質要求に応じて異なる材料の第一拡張部１３３と第二拡張部１３４を選択して第一ガイド溝１４３又は第二ガイド溝１４４中に装着すればよい。つまり、このような場合には、第一拡張部１３３と第二拡張部１３４との構造寸法が同一であるため、第一ガイド溝１４３と第二ガイド溝１４４に装着される拡張部１３２の材質は、減速体１３を通過した後に得られる中性子ビーム品質を所望の条件にできればよく、第一ガイド溝１４３と第二ガイド溝１４４に第一拡張部１３３または第二拡張部１３４のいずれを装着するかに対して別に制限しない。減速体１３の全体構造が円柱体、又は円錐、又は円柱体と円錐との組合せで、かつ第一拡張部１３３と第二拡張部１３４との構造寸法が異なるとき、得られるべき中性子ビームの品質要求に応じて異なる材料の第一拡張部１３３と第二拡張部１３４とを選択し、第一拡張部１３３は対応して第一ガイド溝１４３にだけ装着でき、第二拡張部１３４も対応して第二ガイド溝１４４にだけ装着できる。
【００２７】
反射体１４は、拡張部１３１の両外側に設けられかつガイド溝１４１に装着される補助反射体１４５をさらに含む。補助反射体１４５は、拡張部１３１と一体に製造された後にガイド溝１４１に装着されてもよく、拡張部１３１がガイド溝１４１に装着された後に独立してそれぞれガイド溝１４１に装着されてもよい。拡張部１３１がスライドレール１４２によってベース部１３２の後方に装着されるとき、補助反射体１４５とベース部１３１の外を囲む反射体１４とは、散乱する中性子に対して共同して反射を行い、それにより散乱する中性子が中性子ビーム主軸に反射され、さらに熱外中性子のビーム強度を向上させる。
【００２８】
図４を再び参照すると、図４は本願の第２実施形態の構造案内図である。第２実施形態では、第２実施形態と同じ部材は第１実施形態と同一の符号を採用する。反射体１４に減速体１３のベース部１３１の中心線と平行に一本の回転軸１５が設けられ、回転軸１５にベース部１３１の後方に位置しかつベース部１３１に対して回転可能な回転盤１４６が設けられる。拡張部１３２は、回転盤１４６に装着された後、回転盤と共に回転軸１５を中心にベース部１３１の後方まで回転しかつベース部１３１に隣接して固定される。回転盤１４６は、第一拡張部１３３に対応する第一回転盤１４７と第二拡張部１４４に対応する第二回転盤１４８とを少なくとも含む。減速体１３の全体構造が円柱体で、第一拡張部１３３と第二拡張部１３４との構造寸法が同一であるとき、得られるべき中性子ビームの品質要求に応じて、異なる材料の第一拡張部１３３と第二拡張部１３４を選択して第一回転盤１４７又は第二回転盤１４８中に装着すればよい。このような場合には、第一拡張部１３３と第二拡張部１３４との構造寸法が同一であるため、第一回転盤１４７と第二回転盤１４８とに装着される拡張部１３２の材質は、減速体１３を通過した後に得られる中性子ビーム品質を所望の条件にできればよく、第一回転盤１４７と第二回転盤１４８に第一拡張部１３３又は第二拡張部１３４のいずれを装着するかに対して要求はない。減速体１３の全体構造が円柱体、又は円錐、又は円柱体と円錐の組合せで、第一拡張部１３３と第二拡張部１３４との構造寸法が異なるとき、得られるべき中性子ビームの品質要求に応じて異なる材料の第一拡張部１３３と第二拡張部１３４とを選択し、第一拡張部１３３は対応して第一回転盤１４７にだけ装着だけ、第二拡張部１３４も対応して第二回転盤１４８にだけ装着できる。
【００２９】
反射体１４は、拡張部１３２の外周に設けられる補助反射体１４５’をさらに含む。補助反射体１４５’は、拡張部１３２と一体に製造された後に回転盤１４６中に装着されてもよく、拡張部１３１が回転盤１４６に装着された後に独立して回転盤１４６に装着されてもよい。拡張部１３２が回転軸Ｚ周りを回転してベース部１３１の後方に装着されるとき、補助反射体１４５’とベース部１３１の外を囲む反射体１４とは、散乱する中性子に対して共同して反射を行い、それにより散乱する中性子が中性子ビームの主軸に反射され、それにより熱外中性子のビーム強度を向上させる。
【００３０】
減速体１３は、速中性子作用断面が広く、熱外中性子作用断面が狭い材料で製造される。好ましくは、減速体１３は、Ａｌ、Ｐｂ、Ｔｉ、Ｂｉ、Ｃ、Ｄ２Ｏ、ＡｌＦ３、フルエンタル、ＣａＦ２、Ｌｉ２ＣＯ３、ＭｇＦ２およびＡｌ２Ｏ３中の少なくとも一種で製造される。さらに説明すると、減速体１３のベース部１３１は、Ａｌ、Ｐｂ、Ｔｉ、Ｂｉ、Ｃ、Ｄ２Ｏ、ＡｌＦ３、フルエンタル、ＣａＦ２、Ｌｉ２ＣＯ３、ＭｇＦ２およびＡｌ２Ｏ３中の少なくとも一種又は多種で製造され、第一拡張部１３３と第二拡張部１３４の材料も、Ａｌ、Ｐｂ、Ｔｉ、Ｂｉ、Ｃ、Ｄ２０、ＡｌＦ３、フルエンタル、ＣａＦ２、Ｌｉ２ＣＯ３、ＭｇＦ２およびＡｌ２Ｏ３中の少なくとも一種又は多種で製造される。つまり、本願中では、第一拡張部１３３、第二拡張部１３４及びベース部１３１の材料は互いに合致してもよく、互いに異なってもよい。反射体１４は中性子反射能力に優れる材料で製造され、好適な実施例として、反射体１４はＰｂ又はＮｉ中の少なくとも一種で製造される。
【００３１】
また、減速体１３の後端に熱外中性子吸収体（図示略）が設けられてもよく、減速体１３と反射体１４との間に隙間通路１８が設けられ、熱外中性子吸収体とビーム出口１７の間に空気通路１９が設けられ、反射体１４内に非照射領域の正常組織用量を減少させることができる放射シールド１６が設けられる。いわゆる隙間通路１８は、実体材料で被覆しない中空の中性子ビームを通しやすい領域で、該隙間通路１８は空気通路又は真空通路として設けられてもよい。隙間通路１８を設けることで、熱外中性子のフラックスを増加させることができ、空気通路１９を設けることで、中性子ビームの主軸から逸脱した中性子を主軸に連続的に戻して、熱外中性子ビームの強度を増加させることができる。放射シールド１６は、中性子ビーム中の漏れ光子を遮蔽するための光子シールド１６１と、中性子ビーム中の漏れ中性子を遮蔽するための中性子シールド１６２と、を含む。光子シールド１６１は反射体１４と一体に設けられてもよく、別体に設けられてもよく、中性子シールド１６２はビーム出口１７に隣接する位置に設けられてもよい。
【００３２】
陽子ビームはビーム入口１１から入射されターゲット１２と核反応を起こして中性子を発生し、中性子は中性子ビームを形成し、中性子ビームが一本のビーム主軸に限定され、形成される中性子ビームでは減速体１３により中性子が熱外中性子エネルギー領域まで減速され、熱中性子吸収体が中性子ビーム中の熱中性子を吸収し、これにより治療時に浅層の正常組織に過剰な用量をもたらすことを回避する。反射体１４は、ビーム主軸から逸脱した中性子をビーム主軸に戻して、熱外中性子のビーム強度を向上させ、これにより患者の治療に最も合致するビーム品質を取得する。
【００３３】
熱中性子吸収体は熱中性子の作用断面が広い材料で製造され、好適な実施例としては、熱中性子吸収体は６Ｌｉで製造される。好適には、光子シールド１６１の材料には鉛（Ｐｂ）を選択して製造され、中性子シールドの材料にはポリエチレン（ＰＥ）を選択して製造される。当業者によく知られているように、光子シールド１６１は他の材料で製造されてもよく、光子を遮蔽する作用を果たせればよく、中性子シールド１６２も他の材料で製造されてもよく、他のところに設定されてもよく、漏れ中性子を遮蔽する条件を満たせばよい。
【００３４】
本願の中性子捕捉療法のビーム整形体は腫瘍のビーム中性子エネルギー領域、中性子ビームフラックス等の指標に対する実際の要求に応じて異なる材料の減速体を選択して中性子に対する減速能力を調整するだけで、同じ医療装置で異なる患者を治療することができ、構成が簡単で、使用適合性に優れる。
【００３５】
本発明の開示する中性子捕捉療法用ビーム整形アセンブリは、以上の実施例に記載の内容及び図面に示す構造に限定されるものではない。本出願に基づく、本明細書に開示された構成要素の材料、形状、および位置における明らかな変更、置換、または修正は、いずれも本発明の特許請求の保護範囲内にある。
【図１】
0006722281.tif 000002
【図２】
0006722281.tif 000003
【図３】
0006722281.tif 000004
【図４】
0006722281.tif 000005